(57)【要約】【課題】従来、情報検索はパソコン、携帯電話などキーボード、タッチパネルなど情報検索内容を出力する装置に付属する装置に人がアクセスして行っている、又紙に印刷されたコードに触れることにより行っているが、人が従来最も親しんでいる紙に書かれた印刷物に直接触れるだけでそれに関連する詳しい情報を立体映像情報で何時でも何処でも見ることが簡単にできない課題があった。【解決手段】眼鏡をかける感覚で３次元映像をモニタできるメガネ型ディプレイを利用して、紙に印刷された透明のコードを赤外線カメラを通じ直接、欲しい絵、文字などの情報に触れるだけで、メガネ型ディスプレイに付属するコントローラによりそのコードを自動認識し、そのコードに対応する映像情報を自動検索し、その出力をメガネ型ディスプレイにそのまま出力し、選択した絵又は文字情報に関連する詳しい映像情報を見える様にした。【選択図】図１
2007200261.tif 000002
【特許請求の範囲】
【請求項１】
通常の印刷物の上に重ねて印刷された透明で人間の眼には見えないが赤外線カメラにより認識することにできるコードを持ちそのコード情報を発信する印刷物、このコードを認識する赤外線ハンディカメラ、認識されたコードをこれに各々対応する予め用意されたコンテンツとしての映像情報を検索表示するメガネ型ディスプレイ、それに付属する印刷物に人間に見えないコードを自動検索するコントローラより構成され、ハンディカメラを持って印刷物から情報を検索する人が、メガネ型ディスプレイをかけて検索された印刷物から印刷されている写真などの静止画情報を入力情報として印刷物をそのまま自然の形で人の眼に見えないコードを利用し、コントローラによりそれに対応する映像情報を自動的に検索し、検索された映像情報を何時でも何処でも携帯しているメガネ型ディスプレイによりリアルタイムに表示することを特徴とする映像情報検索システム。
【発明の詳細な説明】
【技術分野】
【０００１】  本発明は雑誌、カタログ、新聞、広告ボード、説明書などを通じ、物品の購入、観光地の選択、医療情報、操作要領、エベント、映画の内容などを映像情報にて詳しく知りたい場合、ハンディカメラを使用してこれ等印刷物に触れるという簡単操作だけで、目的とする映像情報をメガネ型ディスプレイを装着することにより、自分だけでプライバシーを損なうことなく見ることのできる情報検索に関するものである。
【背景技術】
【０００２】  メガネ型ディプレイは従来ヘッドマウントディスプレイとして利用されており、バーチャルリアリティ、ゲームなどに利用されてきた。一方、印刷物に透明の認識コードを印刷し、このコードをパソコンと組合せて認識し、パソコンのディプレイに表示するシステムも実用化されている。【０００３】  携帯電話の普及に伴い、ＱＦＩＤというコード認識が携帯電話に内臓のカメラを利用するシステムも広く利用されている。これ等は使用する人間にコードに直接触れるという手段が必要であるのと、コードは限られた場所に印刷されており、印刷物との直接の対応が難しいなどの問題があった。【０００４】  高齢化社会となり、小さい文字を見るのが難しいが、メガネ型ディプレイはそれをかけて見る人に画面が大きく見え、又外部の人から見ている内容を見られないというプライバシーの保護にメガネ型ディスプレイは有用であり、広く普及しつつある。
【発明の開示】
【発明が解決しょうとしている課題】
【０００５】  本発明は上記した実情に鑑みてなされたものであって、印刷物の上に印刷された透明のコードとそれを検出する赤外線カメラとコントローラ、及びメガネ型ディスプレイを組合せることにより、何時でも何処でも簡単に見慣れている雑誌などの情報から簡単に関連する映像情報を検索して見ることを提供し、新しい情報システム、流通システム、ショップシステムなどを創造するものである。
【課題を解決するための手段】
【０００６】本発明は上記目的を達成するために、情報を検索しようとする人に対し、印刷物の上に印刷された透明のコードとそれを検出する赤外線カメラとコントローラ、及びメガネ型ディスプレイを提供する。
【０００７】  第一の解決手段は、情報を検索しょうとする人が、本などの印刷物の上に透明で印刷されたコードにこれを検知できる赤外線カメラを利用して認識し、これをメガネ型ディスプレイのコントローラに自動送信、コントローラ内に記憶されたコードに対応する映像情報を自動検索して選び出し、この選び出された映像をメガネ型ディスプレイに映し出す手段を提供する。
【０００８】  第二の解決手段はこれ等映像情報をネットワークで提供し、利用者はその映像のコードを同じく印刷物の上で選択するだけで、映像をモニタすることが出来、中央ではそれらを統合して販売などを管理できる手段を提供するものである。
【発明の効果】
【０００９】  この発明は、人々が最も親しんでいる紙という媒体を通じ、そこに書かれている絵又は文字に触れるだけで、メガネ型ディスプレイを使用して何時でも何処でも、それに関連すうより詳しい情報を映像情報にて知ることができるシステムを提供するもので、ＩＴなどに詳しくない幼児、高齢者にも映像情報を簡単に提供できるものである。又、映像素材に立体映像を記憶させておけば、簡単に立体映像をメガネ型ディスプレイで提供できる効果を有す。
【発明を実施するための最良の形態】
【００１０】  以下、本発明の実施の形態を図１−３に基づいて説明する。【００１１】  図１は本発明に係わる情報検索システムの全体を示すブロック図である。この実施例に係わるシステムは、この情報検索のセンサーとなる赤外線カメラ１、このカメラで検知されたデジタルコードを認識する装置２、装置を制御する中央演算装置３、コンテンツである映像情報を記憶蓄積している記憶装置４、この記憶装置の内容を選ばれたデジタルコードにより選択されたコード番号に対応するファイル番号に相当する映像情報を選び出す装置５、この選び出された映像情報を使う人に見せるためのメガネ型ディスプレイ装置６から構成される。【００１２】  図２は図１に於ける眼鏡型ディスプレイで３次元映像を見る装置の機器構成図である。１１はその個人、１２は眼鏡型ディスプレイで、内部の光学装置により、選択送信されてくる画像入力を拡大画面で見ることができるものである。１３はこの拡大された仮想画面を示す。１４は眼鏡型ディスプレイ７に画像を送信する場合、その輝度、音声ボリュームなど調整しながら、眼鏡型ディスプレイで見たい３次元映像を選択する制御装置である。【００１３】１５は３次元映像コンテンツ記憶装置、１６は３次元映像コンテンツ装置１５から左眼用ディスプレイに映像を出力する映像信号処理装置、１６は３次元映像コンテンツ装置１５から右眼用のディスプレイに映像を出力する映像信号処理装置、１８は左眼用の電子ディスプレイ、１９は右眼用の電子ディスプレイ、左眼用の電子ディスプレイと隣接してこれを利用する人の眼幅の位置に配置されている。２０は左眼用の電子ディスプレイの前に置かれ画像を光学装置で拡大する装置、２１は右眼用の電子ディスプレイの前に置かれ画像を光学装置で拡大する装置。これらの装置を組合せることにより、３次元映像コンテンツを左眼、右眼に分割してシーケンシャルに表示することにより、これをモニタする人に仮想的は３次元映像を提供する。
【産業上の利用の可能性】
【００１４】  携帯電話の普及により、情報を何時でも何処でも検索する時代となっているが、キードーボードなどでなく、人が今まで最も親しんでいる、見慣れている紙に印刷された印刷物に直接触れるだけで、印刷されたいる絵または文字情報から、それに関連する詳しい情報を映像情報を、更に立体映像情報まで自動検索して、携帯しているメガネ型ディスプレイに自動表示できるシステムを提供できるものであり、いろいろな産業分野、教育分野など、いろいろな分野・場所で利用されることが期待される。
【図面の簡単な説明】
【００１５】
【図１】  本発明に係わる眼鏡型ディスプレイを利用する情報検索の実施形態を示すブロック構成図の例を示す。
【図２】  本発明に係わる各個人が用いる眼鏡型ディスプレイの構成図の例を示す。
【図３】  本発明に係わる眼鏡型ディスプレイの３次元映像を出力する構成の例を示す。
【符号の説明】
【００１６】１．情報検索のセンサーとなる赤外線カメラ
２．カメラで検知されたデジタルコードを認識する装置
３．装置を制御する中央演算装置
４．コンテンツである映像情報を記憶蓄積している記憶装置
５．記憶装置の内容を選ばれたデジタルコードにより選択されたコード番号に対応するファイル番号に相当する映像情報を選び出す装置
６．選び出された映像情報を使う人に見せるためのメガネ型ディスプレイ装置
１１．眼鏡型ディスプレイを利用する人
１２．眼鏡型ディスプレイ
１３．眼鏡型ディスプレイにより拡大されたコンテンツを表示する仮想画面
１４．眼鏡型ディスプレイ用の３次元映像コンテンツを記憶している装置
１５．３次元映像コンテンツ記憶装置
１６．上記３次元映像記憶装置１５からの信号を左眼用のディスプレイに映像を出力する映像信号処理装置
１７．上記３次元映像記憶装置１５からの信号を右眼用のディスプレイに映像を出力する映像信号処理装置
１８．左眼用の電子ディスプレイ
１９．右眼用の電子ディスプレイ、左眼用の電子ディスプレイと隣接してこれを利用する人の眼幅の位置に配置されている
２０．左眼用の電子ディスプレイの前に置かれ画像を光学装置で拡大する装置
２１．右眼用の電子ディスプレイの前に置かれ画像を光学装置で拡大する装置
【図１】
2007200261.tif 000003
【図２】
2007200261.tif 000004
【図３】
2007200261.tif 000005